(57)【特許請求の範囲】
【請求項１】
復調回路によって周波数変調信号から音声信号を取り出す復調システムであって、
前記復調回路の出力信号を出力するシステム出力端子と、
前記復調回路の出力電圧を保持するコンデンサと、
オン状態のときは前記復調回路の出力信号を前記コンデンサの一方の端子に供給する第１のスイッチ手段と、
前記復調回路の出力信号のセンターバイアス電圧とほぼ同一の電圧を出力する電源手段と、
前記復調回路の出力信号、前記コンデンサの保持電圧、ならびに前記電源手段の出力電圧のいずれかを前記システム出力端子に切り替えて供給する第２のスイッチ手段と、
前記第１および第２のスイッチ手段に制御信号を供給して前記第１および第２のスイッチ手段を制御し、前記復調回路に基準振幅レベル以上の振幅を有する前記周波数変調信号が入力されているときは前記第１のスイッチ手段をオン状態にして前記復調回路の出力信号を前記コンデンサの前記端子に供給させ、かつ前記第２のスイッチ手段に前記復調回路の出力信号を前記システム出力端子に供給させ、前記復調回路に基準振幅レベル以上の振幅を有する前記周波数変調信号が入力されていないときは前記第１のスイッチ手段をオフ状態にさせ、かつ前記第２のスイッチ手段にまず前記コンデンサの保持電圧を前記システム出力端子に供給させ、つづいて所定の時間経過後に前記第２のスイッチ手段に前記電源手段の出力電圧を前記システム出力端子に供給させる制御手段と、
を備えたことを特徴とする周波数変調信号の復調システム。
【請求項２】
前記第２のスイッチ手段は、前記制御手段からの前記制御信号により制御される第３および第４のスイッチ手段から成り、前記第３および第４のスイッチ手段は共に共通端子と、この共通端子に切り替えて接続される第１および第２の端子とを含み、前記第３のスイッチ手段の共通端子ならびに前記第１および第２の端子はそれぞれ前記システム出力端子、前記復調回路の出力端子、前記第４のスイッチ手段の共通端子にそれぞれ接続され、前記第４のスイッチ手段の前記第１および第２の端子はそれぞれ前記コンデンサの前記端子および前記電源手段の出力端子に接続されていることを特徴とする請求項１記載の周波数変調信号の復調システム。
【請求項３】
前記制御手段は、前記復調回路の入力信号が入力され、この入力信号の振幅に応じた電圧を出力する検波回路と、前記検波回路の出力を遅延させる遅延回路と、前記入力信号の振幅が前記基準振幅レベル以上であることを表す電圧を前記検波回路が出力しているときは前記制御信号を出力して前記第１のスイッチ手段をオン状態にし前記復調回路の出力信号を前記コンデンサの前記端子に供給させ、かつ前記第３のスイッチ手段に前記復調回路の出力端子と前記システム出力端子とを接続させ、前記入力信号の振幅が前記基準振幅レベルを下まわることを表す電圧を前記検波回路が出力しているときは前記制御信号を出力して前記第１のスイッチ手段をオフ状態にし、かつ前記第３のスイッチ手段に前記第４のスイッチ手段の共通端子と前記システム出力端子とを接続させる第１の制御回路と、前記入力信号の振幅が前記基準振幅レベル以上であることを表す電圧を前記遅延回路が出力しているときは前記制御信号を出力して前記第４のスイッチ手段に前記コンデンサの前記端子と前記第３のスイッチ手段の前記第２の端子とを接続させ、前記入力信号の振幅が前記基準振幅レベルを下まわることを表す電圧を前記遅延回路が出力しているときは前記制御信号を出力して前記第４のスイッチ手段に前記電源手段の出力端子と前記第３のスイッチ手段の前記第２の端子とを接続させる第２の制御回路とを備えたことを特徴とする請求項２記載の周波数変調信号の復調システム。
【請求項４】
前記コンデンサは前記復調回路を含む集積回路に内蔵されていることを特徴とする請求項１記載の周波数変調信号の復調システム。
【請求項５】
中心周波数が前記周波数変調信号の中心周波数にほぼ等しいバンドパスフィルタフィルタを備え、前記周波数変調信号はバンドパスフィルタを通じて前記復調回路に入力されることを特徴とする請求項１記載の周波数変調信号の復調システム。
【発明の詳細な説明】
【０００１】
【発明の属する技術分野】
本発明は、周波数変調信号から音声信号を取り出す復調システムに関するものである。
【０００２】
【従来の技術】
例えばビデオテープレコーダでは、映像と共に音声が記録され、そして、音声は、キャリア信号を音声信号により周波数変調した周波数変調信号として記録される。したがって、再生時には復調回路により復調を行って、周波数変調信号からもとの音声信号が抽出される。
復調回路は抽出した音声信号を一定のセンターバイアス電圧を中心に振幅が変化する信号として出力するが、周波数変調信号が入力されない場合には、センターバイアス電圧から大きく離れた電圧を出力する。
具体的な例としては、復調回路に入力される周波数変調信号は、音飛びなどで一時的に途切れたり、比較的長い時間中断する場合がある。
したがって、このような無音期間では、復調回路の出力電圧はセンターバイアスから大きく離れた電圧となり、その後、周波数変調信号が再び入力されると、大きく離れた電圧からその時点での音声信号の電圧にまで上昇する。
すなわち周波数変調信号が再入力された時点で直流電位が大きく変化することになり、後段の増幅回路などではこの変化に素早く追従できない結果、周波数変調信号が入力されても直ぐには音声信号を出力できず、音声の再生が遅れるという不都合が生じる。
【０００３】
上記一時的な音飛びの問題と、周波数変調信号が復調回路に再入力されたとき後段で音声信号の出力が遅れるという問題は例えば次のような方法で改善を図ることができる。
すなわち、図４の回路図に示すように、復調回路１０２の出力をバッファ１０４およびスイッチ手段１０６を通じコンデンサ１０８に入力してコンデンサ１０８で保持しておき、復調回路１０２に入力されている周波数変調信号が中断したときは、スイッチ手段１０６をオフさせ、またスイッチ手段１１０を切り替えてコンデンサ１０８が保持している電圧をシステム出力端子１１２から出力する。さらに、コンデンサ１０８を上記センターバイアス電圧を出力する所定の電源手段１１４に抵抗１１６を介して接続しておき、コンデンサ１０８の電荷が抵抗１１６を通じて放電することで、コンデンサ１０８の保持電圧が時間の経過と共にしだいに上記センターバイアス電圧に近づくようにする。
【０００４】
これにより、一時的な音飛びが発生しても、その間、スイッチ手段１０６、１１０を切り替えて音が途切れる直前にコンデンサ１０８が保持していた音声信号の電圧を音声信号の代りに出力することができる。
また、長時間にわたり周波数変調信号が入力されない場合にはコンデンサ１０８に蓄積していた電荷は放電してしまいある時間が経過した後はセンターバイアス電圧が出力されることになる。
したがって、その後、周波数変調信号が再び入力されても、システム出力端子１１２の電圧は、センターバイアス電圧からその時点での音声信号の電圧に変化するのみであり、電圧の変化幅は小さい。
【０００５】
【発明が解決しようとする課題】
しかし、この方法では、音声信号の代りに出力するコンデンサ１０８に保持された電圧は、抵抗１１６を通じて放電することでしだいにセンターバイアス電圧に近づくので、システムの出力電圧がセンターバイアス電圧になるまでの時間は、コンデンサ１０８が最初に保持していた電圧値によって様々に変化してしまい、例えばこの電圧値が低い場合には、直ぐにセンターバイアス電圧になるため、十分な音飛び対策とならない。
逆にセンターバイアス電圧になるまでの時間が長すぎると、センターバイアス電圧になる前に周波数変調信号が再び入力される場合が生じ、その時の音声信号の電圧によっては電圧の変動幅が大きくなってしまう。
【０００６】
図５の（Ａ）は復調回路１０２に入力される周波数変調信号を示す波形図、（Ｂ）はこの周波数変調信号から抽出された音声信号１１７を示す波形図である。図中、横方向は時間を表し、縦方向は電圧を表している。
図５の（Ａ）に示したように、タイミングＴ１で周波数変調信号が途切れると、（Ｂ）に示したように、上記コンデンサ１０８が保持している電圧１１８が音声信号として出力され、その電圧は上述した放電の結果、時間と共にしだいにセンターバイアス電圧１１９に接近し、最終的にセンターバイアス電圧１１９となる。点線で示した種々の電圧１２０は、周波数変調信号が途切れたときコンデンサ１０８が保持している電圧が種々に異なる場合のものである。このコンデンサ１０８の保持電圧が異なると、センターバイアス電圧になるまでの時間ｔ１は様々に変化する。
【０００７】
図６の（Ａ）は音声信号１１７の電圧が比較的高いタイミングで周波数変調信号が途切れた場合のシステム出力端子１１２の電圧変化を詳しく示す波形図、（Ｂ）は、音声信号１１７の電圧が比較的低いタイミングで周波数変調信号が途切れた場合のシステム出力端子１１２の電圧変化を詳しく示す波形図である。図中、横方向は時間を表し、縦方向は電圧を表している。
これらの図に示すように、周波数変調信号がタイミングＴ１で途切れると、その後、コンデンサ１０８の放電により、システム出力端子１１２の電圧はしだいに低下し、最終的にセンターバイアス電圧１１９になるが、センターバイアス電圧になるまでの時間ｔ１は（Ａ）と（Ｂ）とで大きく異なっている。
【０００８】
また、バッファ１０４の出力容量には限界があるため、コンデンサ１０８としてあまり静電容量の大きいものを用いることはできず、その結果また、抵抗１１６としては、必要な放電時間を確保するために比較的高抵抗値のものを用いる必要がある。
したがって、コンデンサ１０８と抵抗１１６との接続点は比較的高インピーダンスとなり、ノイズが混入し易い。
そして、周波数変調信号が途切れている期間ｔ２（図５）では、全期間でコンデンサ１０８の端子電圧がそのまま出力されるので、この期間ではノイズが容易に混入して、スピーカからは不快なノイズ音が発せられ易くなる。
【０００９】
そこで本発明の目的は、音飛びに対して確実に対応でき、周波数変調信号が再入力された際の電圧変動が小さく、信号が途切れている間のノイズ耐性が高い周波数変調信号の復調システムを提供することにある。
【００１０】
【課題を解決するための手段】
本発明は上記目的を達成するため、復調回路によって周波数変調信号から音声信号を取り出す復調システムであって、前記復調回路の出力信号を出力するシステム出力端子と、前記復調回路の出力電圧を保持するコンデンサと、オン状態のときは前記復調回路の出力信号を前記コンデンサの一方の端子に供給する第１のスイッチ手段と、前記復調回路の出力信号のセンターバイアス電圧とほぼ同一の電圧を出力する電源手段と、前記復調回路の出力信号、前記コンデンサの保持電圧、ならびに前記電源手段の出力電圧のいずれかを前記システム出力端子に切り替えて供給する第２のスイッチ手段と、前記第１および第２のスイッチ手段に制御信号を供給して前記第１および第２のスイッチ手段を制御し、前記復調回路に基準振幅レベル以上の振幅を有する前記周波数変調信号が入力されているときは前記第１のスイッチ手段をオン状態にして前記復調回路の出力信号を前記コンデンサの前記端子に供給させ、かつ前記第２のスイッチ手段に前記復調回路の出力信号を前記システム出力端子に供給させ、前記復調回路に基準振幅レベル以上の振幅を有する前記周波数変調信号が入力されていないときは前記第１のスイッチ手段をオフ状態にさせ、かつ前記第２のスイッチ手段にまず前記コンデンサの保持電圧を前記システム出力端子に供給させ、つづいて所定の時間経過後に前記第２のスイッチ手段に前記電源手段の出力電圧を前記システム出力端子に供給させる制御手段とを備えた構成とした。
【００１１】
本発明の周波数変調信号の復調システムでは、制御手段が、第１および第２のスイッチ手段に制御信号を供給して第１および第２のスイッチ手段を制御し、復調回路に基準振幅レベル以上の振幅を有する周波数変調信号が入力されているときは第１のスイッチ手段に復調回路の出力信号をコンデンサの上記端子に供給させ、かつ第２のスイッチ手段に復調回路の出力信号をシステム出力端子に供給させる。
一方、復調回路に基準振幅レベル以上の振幅を有する周波数変調信号が入力されていないときは第１のスイッチ手段をオフ状態にさせ、かつ第２のスイッチ手段にまずコンデンサの保持電圧をシステム出力端子に供給させ、つづいて所定の時間経過後に第２のスイッチ手段に電源手段の出力電圧をシステム出力端子に供給させる。
したがって、この周波数変調信号の復調システムでは、復調回路に入力される周波数変調信号が途切れた場合、その直後の上記所定の時間の間は、周波数変調信号が途切れる直前にコンデンサが保持した音声信号の電圧がシステム出力端子から出力され、その後、周波数変調信号が再度入力されるまでの間は電源手段からのセンターバイアス電圧が出力される。
【００１２】
【発明の実施の形態例】
次に本発明の実施の形態例について図面を参照して説明する。
図１は、本発明による周波数変調信号の復調システムの一例を示す構成図である。
図１に示すように、この周波数変調信号の復調システム２は、バンドパスフィルタ４、復調回路６、ならびに出力制御部８により構成され、ビデオテープレコーダの音声再生回路を形成している。
バンドパスフィルタ４は周波数変調信号の復調システム２に入力された信号から、抽出すべき音声信号を含む帯域の周波数変調信号を取り出す。
復調回路６は、このバンドパスフィルタ４から上記周波数変調信号を受け取り、音声信号を抽出して出力する。
ここで、復調回路６が出力する音声信号には一定のセンターバイアス電圧がかけられている。したがって、音声信号はこのセンターバイアス電圧を中心に振幅が変化する信号として復調回路６から出力される。そして、周波数変調信号が入力されない場合には、復調回路６の出力はセンターバイアス電圧から大きくかけ離れた電圧となる。
【００１３】
出力制御部８は特に本発明に係わり、コンデンサ１０、半導体スイッチ素子から成る第１および第２のスイッチ手段１２、１４、電源手段１６、制御手段１８などにより構成されている。
コンデンサ１０は復調回路６の出力電圧を保持するためのもので、コンデンサ１０の端子２０はバッファ回路２２を介し、第１のスイッチ手段１２を通じて復調回路６の出力端子２４に接続されている。コンデンサ１０の他端は基準電位点に接続されている。
電源手段１６は、定電圧源２６により構成され、復調回路６の出力信号のセンターバイアス電圧とほぼ同一の電圧を出力する。
【００１４】
第２のスイッチ手段１４は、復調回路６の出力端子２４、コンデンサ１０の端子２０、ならびに定電圧源２６の出力端子２８のいずれかにシステム出力端子３０を切り替えて接続するためのもので、本実施の形態例では、半導体スイッチ素子から成る第３および第４のスイッチ手段３２、３４により構成されている。
そして、第３および第４のスイッチ手段３２、３４はいずれも１回路２接点の構成を有し、第３および第４のスイッチ手段３２、３４は共に共通端子３６と、この共通端子３６に切り替えて接続される第１および第２の端子３８、４０とを含み、第３のスイッチ手段３２の共通端子３６ならびに第１および第２の端子３８、４０はそれぞれシステム出力端子３０、復調回路６の出力端子２４、第４のスイッチ手段３４の共通端子３６にそれぞれ接続され、第４のスイッチ手段３４の第１および第２の端子３８、４０はそれぞれコンデンサ１０の端子２０および電源手段１６の出力端子２８に接続されている。
【００１５】
制御手段１８は、検波回路４２、遅延回路４４、第１および第２の制御回路４６、４８により構成されている。
検波回路４２には復調回路６の入力信号が入力され、この入力信号を検波して入力信号のレベルに応じた電圧を出力する。遅延回路４４はこの検波回路４２の出力を所定の時間だけ遅延させて出力する。
第１の制御回路４６は、復調回路６の入力信号の振幅が基準振幅レベル以上であることを表す電圧を検波回路４２が出力しているときは、制御信号を出力して第１のスイッチ手段１２をオン状態にし復調回路６の出力端子とコンデンサ１０の端子２０とを接続させ、かつ第３のスイッチ手段３２に復調回路６の出力端子とシステム出力端子３０とを接続させる。
一方、復調回路６の入力信号の振幅が基準振幅レベルを下まわることを表す電圧を検波回路４２が出力しているときは、制御信号を出力して第１のスイッチ手段１２をオフ状態にし、かつ第３のスイッチ手段３２に、第４のスイッチ手段３４の共通端子３６とシステム出力端子３０とを接続させる。
【００１６】
第２の制御回路４８は、復調回路６の入力信号の振幅が基準振幅レベル以上であることを表す電圧を遅延回路４４が出力しているときは制御信号を出力して第４のスイッチ手段３４にコンデンサ１０の端子２０と第３のスイッチ手段３２の第２の端子４０とを接続させる。
一方、復調回路６の入力信号の振幅が基準振幅レベルを下回ることを表す電圧を遅延回路４４が出力しているときは制御信号を出力して第４のスイッチ手段３４に電源手段１６の出力端子２８と第３のスイッチ手段３２の第２の端子４０とを接続させる。
【００１７】
次に、このように構成された周波数変調信号の復調システム２の動作について説明する。
図２の（Ａ）は復調回路６の入力信号を示す波形図、（Ｂ）はシステム出力端子３０からの出力信号を示す波形図である。以下では、これらの図面も適宜参照する。なお、図２の（Ａ）、（Ｂ）において、いずれも横方向が時間を表し、縦方向が電圧を表している。
【００１８】
周波数変調信号の復調システム２に入力された周波数変調信号は、バンドパスフィルタ４において必要な信号成分が抽出され、その後、復調回路６で復調が行われ周波数変調信号５１から音声信号５２（図２）が取り出される。
このように周波数変調信号が復調回路６に入力されている状態では、検波回路４２は、復調回路６の入力信号の振幅が基準振幅レベル以上であることを表す電圧を出力するため、第１の制御回路４６は、制御信号を出力して第１のスイッチ手段１２をオン状態にし復調回路６の出力端子２４とコンデンサ１０の端子２０とを接続させ、第３のスイッチ手段３２には復調回路６の出力端子とシステム出力端子３０とを接続させる。
したがって、このとき、復調回路６が抽出した音声信号５２は第３のスイッチ手段３２を通じてシステム出力端子３０より出力される。
【００１９】
その後、図２の（Ａ）に示したように、タイミングＴ１において、周波数変調信号５１が途切れ、したがって復調回路６の入力信号が途切れたとすると、検波回路４２は、復調回路６の入力信号の振幅が基準振幅レベルを下まわることを表す電圧を出力する。
これにより第１の制御回路４６は、制御信号を出力して第１のスイッチ手段１２をオフ状態にし、かつ第３のスイッチ手段３２に、第４のスイッチ手段３４の共通端子３６とシステム出力端子３０とを接続させる。
その結果、周波数変調信号５１がタイミングＴ１で途切れる直前にコンデンサ１０が保持していた電圧５３が、図２の（Ｂ）に示したように、第４のスイッチ手段３４および第３のスイッチ手段３２を通じてシステム出力端子３０より出力される。
【００２０】
そして、遅延回路４４は検波回路４２の出力信号を所定の時間だけ遅延させて出力するため、この所定の時間ｔ３が経過したところで、遅延回路４４も、復調回路６の入力信号の振幅が基準振幅レベルを下まわることを表す電圧を出力する。その結果、第２の制御回路４８は、制御信号を出力して第４のスイッチ手段３４に電源手段１６の出力端子２８と第３のスイッチ手段３２の第２の端子４０とを接続させる。
したがって、図２の（Ｂ）に示したように、システム出力端子３０からは一定値のセンターバイアス電圧５０が出力される。
【００２１】
なお、周波数変調信号が途切れて時間ｔ３が経過するまでの間、システム出力端子３０から出力される電圧の大きさは、図２の（Ｂ）に点線で示したように、周波数変調信号が途切れる直前にコンデンサ１０が保持していた電圧により種々に変化する。
図３はこの電圧変化を詳しく示す図であり、図３の（Ａ）はコンデンサ１０が比較的高い電圧を保持していた場合の出力電圧を示す波形図、（Ｂ）はコンデンサ１０が比較的低い電圧を保持していた場合の出力電圧を示す波形図である。
すなわち、図３の（Ａ）に示したように、音声信号５２が比較的高い電圧のときに周波数変調信号が途切れると、コンデンサ１０はその電圧を保持するため、高い電圧５３が出力され、時間ｔ3 が経過すると、センターバイアス電圧５０に切りかわる。
一方、図３の（Ｂ）に示したように、音声信号５２が比較的低い電圧のときに周波数変調信号が途切れると、コンデンサ１０はその電圧を保持するため、低い電圧５３が出力され、時間ｔ3 が経過すると、センターバイアス電圧５０に切りかわる。
【００２２】
その後、タイミングＴ２（図２）で再び周波数変調信号５１が復調回路６に入力されると、第１の制御回路４６は検波回路４２の出力電圧にもとづいて動作し、第１のスイッチ手段１２をオンさせてバッファ２２の出力をコンデンサ１０の端子２０に接続させ、一方、第３のスイッチ手段には復調回路６の出力端子２４をシステム出力端子３０に接続させる。
また、第２の制御回路は、遅延回路４４の出力電圧にもとづいて動作し、第４のスイッチ手段にコンデンサ１０の端子２０と第３のスイッチ手段３２の端子４０とを接続させる。
【００２３】
このように、本実施の形態例の周波数変調信号の復調システム２では、復調回路６に入力される周波数変調信号５１が途切れた場合、その直後の時間ｔ３の期間は、周波数変調信号が途切れる直前にコンデンサ１０が保持していた音声信号５２の電圧５３がシステム出力端子３０から出力され、その後、周波数変調信号が再度入力されるまでの間は電源手段１６からのセンターバイアス電圧５０が出力される。
【００２４】
そのため、音飛びなどにより周波数変調信号が一時的に途切れても、信号が途切れる直前にコンデンサ１０が保持していた電圧５３が音声信号５２の代りに出力され、そして、この電圧が出力される時間の長さ（時間ｔ３）は電圧の大きさによらず一定である。
また、時間ｔ３が経過した後は、電源手段１６からのセンターバイアス電圧５０が出力されるので、後に周波数変調信号が再び入力された際は、システム出力端子３０の電圧は、従来のように復調回路６の出力電圧の下限値からではなくセンターバイアス電圧５０からその時点での音声信号５２の電圧へと変化する。
そのため、システム出力端子３０における電圧変化は従来より大幅に小さくなり、後段の増幅回路などでは素早く電圧変化に追従できる結果、周波数変調信号が再び入力されたとき音声の再生が遅れるという不都合は解消する。
さらに、センターバイアス電圧５０は電源手段１６から出力されるので、低インピーダンスでセンターバイアス電圧５０を出力することができ、したがって、ノイズは混入し難く、従来のようにスピーカから不快なノイズ音が発せられることがない。
そして、音声信号５２を保持するコンデンサに抵抗を接続して放電させる場合は、必要な放電時間を確保する上でコンデンサとしてはある程度容量の大きいものを用いる必要があるが、この周波数変調信号の復調システム２では、その必要がなく、したがってコンデンサ１０は復調回路６などともに集積回路に内蔵させ、省スペース化を図ることが可能である。
以上、本発明について実施の形態例をもとに説明したが、これはあくまでも一例であり、本発明は無論この例に限定されるものではない。
【００２５】
【発明の効果】
以上説明したように本発明の周波数変調信号の復調システムでは、制御手段が、第１および第２のスイッチ手段に制御信号を供給して第１および第２のスイッチ手段を制御し、復調回路に基準振幅レベル以上の振幅を有する周波数変調信号が入力されているときは第１のスイッチ手段に復調回路の出力信号をコンデンサに供給させ、かつ第２のスイッチ手段に復調回路の出力信号をシステム出力端子に供給させる。一方、復調回路に基準振幅レベル以上の振幅を有する周波数変調信号が入力されていないときは第１のスイッチ手段をオフ状態にさせ、かつ第２のスイッチ手段にまずコンデンサの保持電圧をシステム出力端子に供給させ、つづいて所定の時間経過後に第２のスイッチ手段に電源手段の出力電圧をシステム出力端子に供給させる。
したがって、この周波数変調信号の復調システムでは、復調回路に入力される周波数変調信号が途切れた場合、その直後の上記所定の時間の間は、周波数変調信号が途切れる直前にコンデンサが保持していた音声信号の電圧がシステム出力端子から出力され、その後、周波数変調信号が再度入力されるまでの間は電源手段からのセンターバイアス電圧が出力される。
そのため、音飛びなどにより周波数変調信号が一時的に途切れても、信号が途切れる直前にコンデンサが保持した電圧が音声信号の代りに出力され、そして、この電圧が出力される時間の長さ（上記所定の時間）は保持電圧の大きさによらず一定である。
また、所定の時間が経過した後は、電源手段からのセンターバイアス電圧が出力されるので、後に周波数変調信号が再び入力された際は、システム出力端子の電圧は、従来のように復調回路の出力電圧の下限値からではなくセンターバイアス電圧からその時点での音声信号の電圧へと変化する。
そのため、システム出力端子における電圧変化は従来より大幅に小さくなり、後段の増幅回路などでは素早く電圧変化に追従できる結果、周波数変調信号が再び入力されたとき音声の再生が遅れるという不都合は解消する。
さらに、センターバイアス電圧は電源手段から出力されるので、低インピーダンスでセンターバイアス電圧を出力することができ、したがって、ノイズは混入し難く、従来のようにノイズ音が発せられるといったことがなくなる。
そして、音声信号を保持するコンデンサに抵抗を接続して放電させる場合は、コンデンサとしてはある程度容量の大きいものを用いる必要があるが、この周波数変調信号の復調システムでは、その必要がなく、したがってコンデンサは復調回路などともに集積回路に内蔵させ、省スペース化を図ることが可能である。
【図面の簡単な説明】
【図１】本発明による周波数変調信号の復調システムの一例を示す構成図である。
【図２】（Ａ）は復調回路の入力信号を示す波形図、（Ｂ）はシステム出力端子からの出力信号を示す波形図である。
【図３】（Ａ）はコンデンサが比較的高い電圧を保持していた場合の出力電圧を示す波形図、（Ｂ）はコンデンサが比較的低い電圧を保持していた場合の出力電圧を示す波形図である。
【図４】周波数変調信号の途切れに対応するために復調回路の出力部に設ける回路を示す回路図である。
【図５】（Ａ）は復調回路に入力される周波数変調信号を示す波形図、（Ｂ）はこの周波数変調信号から抽出された音声信号を示す波形図である。
【図６】（Ａ）は音声信号の電圧が比較的高いタイミングで周波数変調信号が途切れた場合のシステム出力端子の電圧変化を詳しく示す波形図、（Ｂ）は音声信号の電圧が比較的低いタイミングで周波数変調信号が途切れた場合のシステム出力端子の電圧変化を詳しく示す波形図である。
【符号の説明】
２……周波数変調信号の復調システム、４……バンドパスフィルタ、６、１０２……復調回路、８……出力制御部、１０、１０８……コンデンサ、１２……第１のスイッチ手段、１４……第２のスイッチ手段、１６、１１４……電源手段、１８……制御手段、２２、１０４……バッファ回路、２６……定電圧源、３０……システム出力端子、３２……第３のスイッチ手段、３４……第４のスイッチ手段、４２……検波回路、４４……遅延回路、４６……第１の制御回路、４８……第２の制御回路、５０、１１９……センターバイアス電圧、５１……周波数変調回路、５２、１１７……音声信号、５３、１１８、１２０……コンデンサ保持電圧、１０６、１１０……スイッチ手段、１１２……システム出力端子、１１６……抵抗。
【図１】
0003804219.tif 000002
【図２】
0003804219.tif 000003
【図３】
0003804219.tif 000004
【図４】
0003804219.tif 000005
【図５】
0003804219.tif 000006
【図６】
0003804219.tif 000007